【手続補正書】
【提出日】平成19年3月8日(2007.3.8)
【手続補正１】
【補正対象書類名】明細書
【補正対象項目名】発明の名称
【補正方法】変更
【補正の内容】
【発明の名称】キーレスエントリーシステム、及び制御装置
【手続補正２】
【補正対象書類名】明細書
【補正対象項目名】特許請求の範囲
【補正方法】変更
【補正の内容】
【特許請求の範囲】
【請求項１】  所定の条件に基づいて、ドアのロック／アンロックを行うド
アロック駆動機構部を制御するドアロック制御手段と、
ドアのロック／アンロックの遠隔操作を行うための操作手段とを備え、
オートクローザー機能を備えたドア装置に採用されるキーレスエントリーシス
テムにおいて、
前記オートクローザー機能が作動しているか否かを判断するオートクローザー
作動判断手段を備え、
前記ドアロック制御手段が、前記所定の条件に基づけば、ドアをロックすべき
タイミングになったとしても、前記オートクローザー作動判断手段からの判断結
果に基づいて、前記オートクローザー機能が作動中であると判断した場合にはド
アのロック制御を行わず、前記オートクローザー機能の作動終了後にドアのロッ
ク制御を行うものであることを特徴とするキーレスエントリーシステム。
【請求項２】  所定の条件に基づいて、ドアのロック／アンロックを行うド
アロック駆動機構部を制御するドアロック制御手段と、
ドアのロック／アンロックの遠隔操作を行うための操作手段とを備え、
オートクローザー機能を備えたドア装置に採用されるキーレスエントリーシス
テムにおいて、
前記オートクローザー機能が作動しているか否かを判断するオートクローザー
作動判断手段と、
ドアのロックが行われる際に、前記オートクローザー作動判断手段からの判断
結果に基づいて、前記オートクローザー機能が作動中であると判断した場合には
、ドアのロックが行われたことをユーザーに知らせる報知手段とを備えているこ
とを特徴とするキーレスエントリーシステム。
【請求項３】  前記報知手段が、前記オートクローザー作動判断手段からの
判断結果に基づいて、前記オートクローザー機能の作動終了後にドアのロックが
行われたことをユーザーに知らせるものであることを特徴とする請求項２記載の
キーレスエントリーシステム。
【請求項４】  所定の条件に基づいて、ドアのロック／アンロックを行うド
アロック駆動機構部を制御するドアロック制御手段と、
ドアのロック／アンロックの遠隔操作を行うための操作手段と、
該操作手段による遠隔操作でドアのロック／アンロックが行われたことを第１
の音声によりユーザーに知らせる第１の音声報知手段とを備え、
オートクローザー機能を備えたドア装置に採用されるキーレスエントリーシス
テムにおいて、
前記オートクローザー機能が作動しているか否かを判断するオートクローザー
作動判断手段と、
ドアのロックが行われる際に、前記オートクローザー作動判断手段からの判断
結果に基づいて、前記オートクローザー機能が作動中であると判断した場合には
、ドアのロックが行われたことを第２の音声によりユーザーに知らせる第２の音
声報知手段とを備え、
前記第１の音声報知手段と前記第２の音声報知手段との報知形態が異なってい
ることを特徴とするキーレスエントリーシステム。
【請求項５】  前記オートクローザー機能を実現するための駆動機構部が駆
動しているか否かを検出するオートクローザー駆動検出手段を備え、
前記オートクローザー作動判断手段が、前記オートクローザー駆動検出手段に
よる検出結果に基づいて、前記オートクローザー機能が作動しているか否かを判
断するものであることを特徴とする請求項１〜４のいずれかの項に記載のキーレ
スエントリーシステム。
【請求項６】  前記オートクローザー機能の作動終了を検出するオートクロ
ーザー作動終了検出手段を備え、
前記オートクローザー作動判断手段が、所定の開始時点から前記オートクロー
ザー作動終了検出手段による検出結果に基づいて、前記オートクローザー機能の
作動が終了するまでを該オートクローザー機能の作動期間であると判断するもの
であることを特徴とする請求項１〜４のいずれかの項に記載のキーレスエントリ
ーシステム。
【請求項７】  前記オートクローザー作動判断手段が、所定の開始時点から
所定の時間が経過するまでを前記オートクローザー機能の作動期間であると判断
するものであることを特徴とする請求項１〜４のいずれかの項に記載のキーレス
エントリーシステム。
【請求項８】  ドアの閉状態近傍位置到達を検出するドア閉状態近傍位置検
出手段を備え、
前記オートクローザー機能が、前記ドアが閉状態近くに位置すると作動を開始
するようになっている場合、
前記所定の開始時点が、前記ドアが閉状態近くに位置した時点であることを特
徴とする請求項６又は請求項７記載のキーレスエントリーシステム。
【請求項９】 オートクローザー機能を備えたドア装置に採用されるキーレ
スエントリーシステムの制御装置において、
ドアのロック／アンロックを行うドアロック駆動機構部をドアロック指令コー
ドの受信に基づいて制御するドアロック制御手段と、
前記オートクローザー機能が作動しているか否かを判断するオートクローザー
作動判断手段とを備え、
前記ドアロック制御手段が、前記オートクローザー作動判断手段により前記オ
ートクローザー機能が作動中であると判断された場合、前記オートクローザー機
能の作動終了後にドアのロック制御を行うものであることを特徴とする制御装置
。
【手続補正３】
【補正対象書類名】明細書
【補正対象項目名】０００１
【補正方法】変更
【補正の内容】
【０００１】
【発明の属する技術分野】
本発明はキーレスエントリーシステム、及び制御装置に関し、より詳細には、
ドアのロック／アンロックの遠隔操作を行うことのできるキーレスエントリーシ
ステム、及び該キーレスエントリーシステムの制御装置に関する。
【手続補正４】
【補正対象書類名】明細書
【補正対象項目名】００２０
【補正方法】変更
【補正の内容】
【００２０】
本発明は上記課題に鑑みなされたものであって、オートクローザー機能を備え
た車両に採用されるキーレスエントリーシステムにおいて、周囲に迷惑をかける
ことなく、ユーザーがドアのロックが行われたことを確実に確認することのでき
るキーレスエントリーシステム、及び該キーレスエントリーシステムの制御装置
を提供することを目的としている。
【手続補正５】
【補正対象書類名】明細書
【補正対象項目名】００４６
【補正方法】変更
【補正の内容】
【００４６】
また本発明に係る制御装置（１）は、オートクローザー機能を備えたドア装置
に採用されるキーレスエントリーシステムの制御装置において、ドアのロック／
アンロックを行うドアロック駆動機構部をドアロック指令コードの受信に基づい
て制御するドアロック制御手段と、前記オートクローザー機能が作動しているか
否かを判断するオートクローザー作動判断手段とを備え、前記ドアロック制御手
段が、前記オートクローザー作動判断手段により前記オートクローザー機能が作
動中であると判断された場合、前記オートクローザー機能の作動終了後にドアの
ロック制御を行うものであることを特徴としている。
上記した制御装置（１）によれば、前記オートクローザー作動判断手段により
前記オートクローザー機能が作動中であると判断された場合、前記オートクロー
ザー機能の作動終了後に、前記ドアロック制御手段によるドアのロック制御が行
われる。
すなわち、ドアロック指令コードの受信に基づいて、ドアをロックすべきタイ
ミングになったとしても、前記オートクローザー機能が作動中である場合には、
前記オートクローザー機能の作動終了後にドアのロック制御が行われるため、前
記オートクローザー機能を実現するためのアクチュエータの作動音とドアロック
を実現するためのアクチュエータの作動音とが重なるのを避けることができる。
従って、ドアロックを実現するためのアクチュエータの作動音を前記オートク
ローザー機能を実現するためのアクチュエータの作動音と区別してユーザーが聴
取することができるため、ユーザーはドアのロックが行われたことを確実に確認
することができる。
またドア装置に、上記キーレスエントリーシステム（１）〜（１２）のいずれ
かを備えれば、ドアのロック／アンロックを遠隔操作したり、ドアを自動的に完
全に閉鎖した状態にするができ、さらにはユーザーがドアのロックが行われたこ
とを確実に確認することのできるドア装置を実現することが可能になる。
【手続補正６】
【補正対象書類名】明細書
【補正対象項目名】００４７
【補正方法】変更
【補正の内容】
【００４７】
また輸送手段に、上記ドア装置を備えれば、有効かつ利便性に大変優れた輸送
手段を実現することができる。また該輸送手段としては、例えば、汽車、電車、
自動車等の車両や、飛行機、ヘリコプター等の航空機や、船などが挙げられる。
【手続補正７】
【補正対象書類名】明細書
【補正対象項目名】００４８
【補正方法】変更
【補正の内容】
【００４８】
【発明の実施の形態】
以下、本発明に係るキーレスエントリーシステム及び制御装置の実施の形態を
図面に基づいて説明する。図１は、実施の形態（１）に係るキーレスエントリー
システムの要部を概略的に示したブロック図である。但し、ここでは図１１に示
したキーレスエントリーシステムと同様の構成部分については、同符号を付しそ
の説明を省略する。